(57)【要約】【課題】板状部品のブロック同士の吸着を確実に防止することができる記憶装置および板状部品を提供する。【解決手段】板状部品２７のブロック２８は底面３８および上面３９で同一の輪郭を有する。ブロック２８の側面には切り欠き４３が形成される。切り欠き４３は底面３８に輪郭を切り欠く。上側のブロック２８では切り欠き４３内に下側のブロック２８の上面３９が露出する。その結果、上側の板状部品２７の取り外し時、下側のブロック２８の上面３９に例えば治具７１の下端が押し付けられることができる。ブロック２８同士の吸着は確実に防止される。吸着に基づく下側の板状部品２７の持ち上がりは確実に防止される。中段の磁気ディスク１４の裏面で損傷の発生は回避される。しかも、板状部品２７はすべて同一の形状で形成されることから、板状部品２７の管理は簡略化される。板状部品２７の製造コストは低減される。【選択図】図６
2010267338.tif 000002
【特許請求の範囲】
【請求項１】
回転軸回りで回転し、前記回転軸の軸方向に規定される一端に開放端を区画しつつ他端に前記回転軸から遠心方向に突き出るフランジを区画する回転体と、
前記回転体周りで前記軸方向に前記回転体に装着される複数の記憶媒体と、
前記回転体の前記開放端に取り付けられて、前記フランジに向かって前記記憶媒体を押し付けるクランプと、
前記記憶媒体の表面に平行に突き出るプレート、一方の側面で前記プレートを保持しつつ一方の前記側面と反対側の他方の側面に切り欠きを有するブロックを区画し、前記ブロックの積み重ねに基づき前記軸方向に配置される複数の板状部品とを備えることを特徴とする記憶装置。
【請求項２】
請求項１に記載の記憶装置において、複数の前記板状部品は相互に同一の形状を有することを特徴とする記憶装置。
【請求項３】
請求項１または２に記載の記憶装置において、前記ブロックは、底面と、前記底面に垂直に平行移動する前記底面の輪郭に一致する輪郭を有する上面とを規定することを特徴とする記憶装置。
【請求項４】
請求項３に記載の記憶装置において、前記切り欠きは前記ブロックの前記底面に輪郭を切り欠くことを特徴とする記憶装置。
【請求項５】
ブロックと、
前記ブロックに保持されて前記ブロックの一方の側面から水平に突き出るプレートと、
一方の前記側面と反対側に規定される前記ブロックの他方の側面に形成される切り欠きとを備えることを特徴とする板状部品。
【発明の詳細な説明】
【技術分野】
【０００１】
本発明は、例えば磁気ディスク同士の間に配置される整流板を備える記憶装置に関する。
【背景技術】
【０００２】
ハードディスク駆動装置（ＨＤＤ）では、例えば３枚の磁気ディスクがスピンドルモータの軸方向に積層される。磁気ディスク同士の間には相互に同一の形状を有する整流板が個別に配置される。整流板は、磁気ディスクの輪郭より外側でベースにねじ留めされるブロックと、ブロックの内端から突き出て磁気ディスク同士の間に広がるプレートとを備える。下側の整流板のブロック上に上側の整流板のブロックが配置される。プレートの働きで磁気ディスクの振動すなわちフラッタは抑制される。
【先行技術文献】
【特許文献】
【０００３】
【特許文献１】特開２００６−９９８９２号公報
【特許文献２】特表２００５−５０９２３２号公報
【発明の概要】
【発明が解決しようとする課題】
【０００４】
ＨＤＤの出荷前の検査で例えば下段の磁気ディスクに欠陥が発見されると、欠陥を有する磁気ディスクは新しい磁気ディスクに交換される。交換にあたって、上段の磁気ディスクから順番に取り外されていく。このとき、上側の整流板の取り外し時に下側のブロックの底面が上側のブロックの上面に吸着してしまう。その結果、上側の整流板の持ち上げに伴って下側の整流板が持ち上げられる。下側のプレートは磁気ディスクに接触する。その結果、磁気ディスクの裏面が傷付いてしまうことがある。
【０００５】
本発明は、上記実状に鑑みてなされたもので、板状部品のブロック同士の吸着を確実に防止することができる記憶装置および板状部品を提供することを目的とする。
【課題を解決するための手段】
【０００６】
上記目的を達成するために、記憶装置の一具体例は、回転軸回りで回転し、前記回転軸の軸方向に規定される一端に開放端を区画しつつ他端に前記回転軸から遠心方向に突き出るフランジを区画する回転体と、前記回転体周りで前記軸方向に前記回転体に装着される複数の記憶媒体と、前記回転体の前記開放端に取り付けられて、前記フランジに向かって前記記憶媒体を押し付けるクランプと、前記記憶媒体の表面に平行に突き出るプレート、一方の側面で前記プレートを保持しつつ一方の前記側面と反対側の他方の側面に切り欠きを有するブロックを区画し、前記ブロックの積み重ねに基づき前記軸方向に配置される複数の板状部品とを備える。
【０００７】
上記目的を達成するために、板状部品の一具体例は、ブロックと、前記ブロックに保持されて前記ブロックの一方の側面から水平に突き出るプレートと、一方の前記側面と反対側に規定される前記ブロックの他方の側面に形成される切り欠きとを備える。
【発明の効果】
【０００８】
以上のように開示の記憶装置および板状部品によれば、板状部品のブロック同士の吸着を確実に防止することができる。
【図面の簡単な説明】
【０００９】
【図１】本発明の第１実施形態に係る記憶装置の一具体例すなわちハードディスク駆動装置（ＨＤＤ）の内部構造を概略的に示す平面図である。
【図２】本発明の第１実施形態に係る記憶装置の一具体例すなわちＨＤＤの構造を概略的に示し、上段の記憶媒体の図示を省略した平面図である。
【図３】図１の３−３線に沿った断面図である。
【図４】図４の部分拡大断面図である。
【図５】本発明の第１実施形態に係る板状部品の構造を概略的に示す部分分解斜視図である。
【図６】ＨＤＤから板状部品を取り外す工程を概略的に示す断面図である。
【図７】本発明の第２実施形態に係る記憶装置の一具体例すなわちＨＤＤの内部構造を概略的に示す平面図である。
【図８】本発明の第２実施形態に係る記憶装置の一具体例すなわちＨＤＤの構造を概略的に示し、上段の記憶媒体の図示を省略した平面図である。
【図９】本発明の第２実施形態に係る板状部品の構造を概略的に示す部分分解斜視図である。
【図１０】ＨＤＤから板状部品を取り外す工程を概略的に示す断面図である。
【図１１】本発明の第３実施形態に係る記憶装置の一具体例すなわちＨＤＤの内部構造を概略的に示す平面図である。
【図１２】本発明の第３実施形態に係る記憶装置の一具体例すなわちＨＤＤの構造を概略的に示し、上段の記憶媒体の図示を省略した平面図である。
【図１３】本発明の第３実施形態に係る板状部品の構造を概略的に示す部分分解斜視図である。
【図１４】本発明の第３実施形態に係る板状部品の構造を概略的に示す分解斜視図である。
【図１５】図１１の１５−１５線に沿った部分拡大断面図である。
【図１６】ＨＤＤから板状部品を取り外す工程を概略的に示す断面図である。
【発明を実施するための形態】
【００１０】
以下、添付図面を参照しつつ本発明の一実施形態を説明する。
【００１１】
図１は本発明の第１実施形態に係る記憶装置の一具体例すなわちハードディスク駆動装置（ＨＤＤ）１１の内部構造を概略的に示す。このＨＤＤ１１は筐体すなわちハウジング１２を備える。ハウジング１２は箱形のベース１３およびカバー（図示されず）を備える。ベース１３は例えば平たい直方体の内部空間すなわち収容空間を区画する。ベース１３は例えばアルミニウムといった金属材料から鋳造に基づき成形されればよい。カバーはベース１３の開口に結合される。カバーとベース１３との間で収容空間は密閉される。カバーは例えばプレス加工に基づき１枚の板材から成形されればよい。
【００１２】
収容空間には記憶媒体としての例えば３枚の磁気ディスク１４が収容される。磁気ディスク１４はスピンドルモータ１５に装着される。スピンドルモータ１５は例えば５４００ｒｐｍや７２００ｒｐｍ、１００００ｒｐｍ、１５０００ｒｐｍといった高速度で回転軸Ｘ回りに磁気ディスク１４を回転させることができる。回転軸Ｘは垂直方向に延びる。ここでは、例えば磁気ディスク１４は垂直磁気記録ディスクに構成される。すなわち、磁気ディスク１４上の記録磁性膜では磁化容易軸は磁気ディスク１４の表面に直交する垂直方向に設定される。
【００１３】
収容空間にはキャリッジ１６がさらに収容される。キャリッジ１６はキャリッジブロック１７を備える。キャリッジブロック１７は、垂直方向に延びる支軸１８に回転自在に連結される。キャリッジブロック１７には、支軸１８から水平方向に延びる複数のキャリッジアーム１９が区画される。キャリッジブロック１７は例えば押し出し成型に基づきアルミニウムから成型されればよい。
【００１４】
個々のキャリッジアーム１９の先端にはヘッドサスペンション２１が取り付けられる。ヘッドサスペンション２１はキャリッジアーム１９の先端から前方に延びる。ヘッドサスペンション２１の先端にはフレキシャが張り合わせられる。フレキシャの働きで浮上ヘッドスライダ２２はヘッドサスペンション２１に対してその姿勢を変化させることができる。浮上ヘッドスライダ２２にはヘッド素子すなわち電磁変換素子が搭載される。
【００１５】
磁気ディスク１４の回転に基づき磁気ディスク１４の表面で気流が生成されると、気流の働きで浮上ヘッドスライダ２２には正圧すなわち浮力および負圧が作用する。浮力および負圧とヘッドサスペンション２１の押し付け力とが釣り合うことで磁気ディスク１４の回転中に比較的に高い剛性で浮上ヘッドスライダ２２は浮上し続けることができる。
【００１６】
こういった浮上ヘッドスライダ２２の浮上中にキャリッジ１６が支軸１８回りで回転すると、浮上ヘッドスライダ２２は磁気ディスク１４の半径線に沿って移動することができる。その結果、浮上ヘッドスライダ２２上の電磁変換素子は最内周記録トラックと最外周記録トラックとの間でデータゾーンを横切ることができる。こうして浮上ヘッドスライダ２２上の電磁変換素子は目標の記録トラック上に位置決めされる。
【００１７】
キャリッジブロック１７には例えばボイスコイルモータ（ＶＣＭ）２３といった動力源が接続される。このボイスコイルモータ２３の働きでキャリッジブロック１７は支軸１８回りで回転することができる。こうしたキャリッジブロック１７の回転に基づきキャリッジアーム１９およびヘッドサスペンション２１の揺動は実現される。
【００１８】
ベース１３は、磁気ディスク１４の外側でベース１３の底板から立ち上がるシュラウド２４を備える。シュラウド２４は、磁気ディスク１４の回転軸Ｘ回りに規定される仮想円筒面２５内にシュラウド面２６を規定する。仮想円筒面２５は磁気ディスク１４に同軸に規定される。シュラウド面２６は一定の間隔で磁気ディスク１４の外周端面１４ａに向き合う。シュラウド２４はキャリッジ１６の揺動範囲やその周囲で途切れる。シュラウド２４はベース１３の底板に一体化される。
【００１９】
シュラウド２４には２つの板状部品２７が取り付けられる。板状部品２７は回転軸Ｘの軸方向に配列される。隣接する磁気ディスク１４同士の間で２枚の磁気ディスク１４に共通に１つの板状部品２７が配置される。各板状部品２７は、磁気ディスク１４の外縁より外側で回転軸Ｘ回りに相互に等間隔に配置される例えば３つの第１〜第３ブロック２８ａ〜２８ｃを備える。回転軸Ｘの軸方向に下側の板状部品２７のブロック２８上に上側の板状部品２７のブロック２８が個別に配置される。
【００２０】
図２を併せて参照し、各板状部品２７では、キャリッジ１６から磁気ディスク１４の回転方向に上流側に配置される第１ブロック２８ａから、第１ブロック２８ａの上流側に配置される第２ブロック２８ｂまで回転軸Ｘ回りに９０度の回転角が規定される。同様に、第２ブロック２８ｂから、第２ブロック２８ｂの上流側に配置される第３ブロック２８ｃまで回転軸Ｘ回りに９０度の回転角が規定される。こうして第１ブロック２８ａから第３ブロック２８ｃまで回転軸Ｘ回りに１８０度の回転角が規定される。
【００２１】
各ブロック２８は、シュラウド２４に形成される窪み２９内に個別に配置される。窪み２９は回転軸Ｘから遠心方向にシュラウド面２６から外側に窪む。ブロック２８の外端に規定される側面は窪み２９の内壁面に向き合う。こうしてブロック２８の側面と窪み２９の内壁面との間には所定の隙間が形成される。窪み２９の内壁面やブロック２８の側面は、ベース１３の底板に直交する仮想面内にそれぞれ規定される。ブロック２８は例えばねじ３１に基づきシュラウド２４に固定される。
【００２２】
ブロック２８の内端に規定される一方の側面にはシュラウド面３２が形成される。シュラウド面３２は磁気ディスク１４の外周端面１４ａに向き合う。シュラウド面３２は前述の仮想円筒面２５内に規定される。その結果、シュラウド面２６およびシュラウド面３２の間で連続性が確保される。各板状部品２７は、シュラウド面３２から回転軸Ｘに向かって突き出る１枚のプレートすなわち整流板３３を備える。整流板３３は、第１ブロック２８ａの下流側から第３ブロック２８ｃの上流側まで回転軸Ｘ周りで円弧状に広がる。円弧の中心角は例えば２００度程度に設定される。
【００２３】
整流板３３の外縁にはシュラウド面２６が向き合う。整流板３３には整流板３３の輪郭すなわち外縁から外側に突き出る１対の小片３４が形成される。一方の小片３４は第１ブロック２８ａと第２ブロック２８ｂとの中間位置に配置される。すなわち、一方の小片３４は第１ブロック２８ａおよび第２ブロック２８ｂからそれぞれ回転軸Ｘ回りに４５度の回転角が規定される。他方の小片３４は、第２ブロック２８ｂと第３ブロック２８ｃとの中間位置に配置される。すなわち、他方の小片３４は第２ブロック２８ｂおよび第３ブロック２８ｃからそれぞれ回転軸Ｘ回りに４５度の回転角が規定される。
【００２４】
小片３４には、回転軸Ｘの軸方向に平行に小片３４の表面から裏面まで貫通する位置決め穴３５が形成される。位置決め穴３５には、ベース１３の底板から直立する位置決めピン３６が受け入れられる。位置決めピン３６は回転軸Ｘに平行に立ち上がる。こうした位置決めピン３６の働きで板状部品２７はベース１３に対して正確に位置決めされる。位置決めピン３６はベース１３の底板に例えば圧入に基づき固定される。小片３４は、シュラウド２４に形成される窪み３７内に個別に配置される。窪み３７は回転軸Ｘから遠心方向にシュラウド面２６から外側に窪む。
【００２５】
図３に示されるように、整流板３３は磁気ディスク１４の表面や裏面に平行に広がる。整流板３３の表面や裏面は一定の間隔で磁気ディスク１４の表面や裏面に向き合う。隣接する磁気ディスク１４同士の間では共通に１片の整流板３３が配置される。磁気ディスク１４の回転中に磁気ディスク１４の表面に沿って気流が生成されると、整流板３３の働きで気流の乱れは抑制される。こうして磁気ディスク１４の振動すなわちフラッタは抑制される。浮上ヘッドスライダ２２の電磁変換素子の位置決め精度の低下は抑制される。図４を併せて参照し、整流板３３はブロック２８の底面３８や上面３９に平行に広がる。
【００２６】
下側の板状部品２７では、ブロック２８は底面３８でシュラウド２４に形成される受け面２４ａに受け止められる。この下側のブロック２８の上面３９は上側の板状部品のブロック２８の底面３８を受け止める。こうしてブロック２８は回転軸Ｘの軸方向に積み重ねられる。ブロック２８の上面３９は、底面３８に垂直に平行移動する底面３８の輪郭に一致する輪郭を有する。受け面２４ａや底面３８、上面３９は、回転軸Ｘに直交する仮想平面内にそれぞれ規定される。シュラウド面３２は底面３８および上面３９を相互に接続する。各ブロック２８では、整流板３３の表面から上面３９までの高さと、整流板３３の裏面から底面３８までの高さとは等しく設定される。
【００２７】
各ブロック２８には、回転軸Ｘに平行な中心軸を規定する貫通孔４１が形成される。貫通孔４１はブロック２８の底面３８から上面３９まで貫通する。貫通孔４１の中心軸は底面３８や上面３９に直交する。上下のブロック２８で貫通孔４１の中心軸は一致する。こうして貫通孔４１はねじ３１のねじ軸を受け入れる。ねじ軸の先端は、例えばシュラウド２４に形成されるねじ孔４２にねじ込まれる。上側のブロック２８の上面３９はねじ３１のねじ頭を受け止める。こうしてねじ３１に基づき板状部品２７はベース１３に固定される。
【００２８】
シュラウド面３２の反対側のブロック２８の他方の側面は底面３８および上面３９を相互に接続する。ここでは、ブロック２８の側面およびシュラウド面３２の間にねじ３１が配置される。ブロック２８の側面には切り欠き４３が形成される。図５を併せて参照し、切り欠き４３は、ブロック２８の底面３８から上面３９に向かって延びて上面３９から底面３８側に後退した位置で途切れる。こうして各ブロック２８では切り欠き４３は底面３８に輪郭を切り欠く。その結果、ブロック２８が積み重ねられると、上側のブロック２８の切り欠き４３内に下側のブロック２８の上面３９が露出する。こうして板状部品２７は相互に同一の形状に形成される。
【００２９】
図３から明らかなように、スピンドルモータ１５は固定子５１を備える。固定子５１は回転自在に回転体５２を支持する。固定子５１は、ベース１３に受け止められるブラケット５３を備える。ブラケット５３は、ベース１３の底板に穿たれる受け入れ孔５４に受け入れられる。ブラケット５３にはブラケット５３の表面から垂直方向に立ち上がる円筒形の円筒部５３ａが区画される。ブラケット５３は例えばねじ５５に基づきベース１３に固定される。
【００３０】
固定子５１は、円筒部５３ａに受け入れられる円筒形のスリーブ５６を備える。スリーブ５６の円柱空間には円柱形のシャフト５７が受け入れられる。スリーブ５６およびシャフト５７の間は例えば潤滑油といった流体で満たされる。こういった流体の働きでシャフト５７はシャフト５７の軸心すなわち回転軸Ｘ回りに高速に回転することができる。いわゆる流体軸受けが確立される。シャフト５７の下端には回転軸Ｘから遠心方向に広がるスラストフランジ５８が取り付けられる。
【００３１】
回転体５２は、シャフト５７に装着されるスピンドルハブ５９を備える。スピンドルハブ５９は、回転軸Ｘを中心軸に規定される円柱空間を規定する円筒状の円筒体６１を区画する。円筒体６１は、回転軸Ｘ回りに規定される仮想円筒面内に規定される外周面を規定する。回転軸Ｘの軸方向に規定される円筒体６１の一端すなわち下端には円筒体６１の外周面から遠心方向に広がる環状のフランジ６２が接続される。回転軸Ｘの軸方向に規定される円筒体６１の他端すなわち上端には開放端６３が規定される。
【００３２】
スピンドルハブ５９には３枚の磁気ディスク１４が搭載される。搭載にあたって個々の磁気ディスク１４の中心には貫通孔１４ｂが穿たれる。貫通孔１４ｂは円筒体６１を受け入れる。磁気ディスク１４同士の間には環状スペーサ６４が挟み込まれる。こうして磁気ディスク１４および環状スペーサ６４が回転軸Ｘの軸方向に交互に積層される。下段の磁気ディスク１４はフランジ６２に受け止められる。環状スペーサ６４は磁気ディスク１４同士の間隔を保持する。
【００３３】
スピンドルハブ５９の開放端６３にはクランプ６５が装着される。磁気ディスク１４および環状スペーサ６４はクランプ６５およびフランジ６２の間に挟み込まれる。クランプ６５は例えば円盤形状に形成される。クランプ６５は中心の受け入れ孔内にスピンドルハブ５９を受け入れる。受け入れ孔の外側でクランプ６５はねじ６６に基づきスピンドルハブ５９の開放端６３に連結される。こうしてクランプ６５は、環状に規定される外周縁６５ａでフランジ６２に向かって磁気ディスク１４に押し付け力を作用させる。
【００３４】
固定子５１は、円筒部５３ａの円筒外周面に固定される一群の固定子鉄心すなわちコア６７を備える。コア６７には電磁石すなわちコイル６８が巻き付けられる。その一方で、スピンドルハブ５９は円筒内周面で円筒部５３ａの円筒外周面に向き合わせられる。スピンドルハブ５９の円筒内周面には永久磁石６９が固着される。永久磁石６９はコイル６８に向き合う。コイル６８に電流が供給されると、コイル６８で生じる磁界に基づきスピンドルハブ５９は回転軸Ｘ回りで回転する。
【００３５】
いま、ＨＤＤ１１の出荷前の検査で例えば下段の磁気ディスク１４に欠陥が生じた場面を想定する。欠陥を有する磁気ディスク１４は新品の磁気ディスク１４に交換される。交換にあたって、ベース１３からカバーが取り外される。スピンドルハブ５９の開放端６３からクランプ６５が取り外される。その後、スピンドルハブ５９の円筒体６１から上段の磁気ディスク１４が取り外される。取り外しにあたって、磁気ディスク１４の最内周に例えば吸着ノズル（図示されず）の先端が吸着する。吸着ノズルが回転軸Ｘの軸方向に持ち上げられると、磁気ディスク１４は円筒体６１から取り外される。続いて、板状部品２７からねじ３１が取り外される。
【００３６】
図６に示されるように、上側のブロック２８の側面および窪み２９の内壁面の間に形成される隙間に治具７１が差し込まれる。治具７１の下端は上側のブロック２８の切り欠き４３内で下側のブロック２８の上面３９に押し当てられる。このとき、吸着ノズルは上側のブロック２８の上面３９に吸着する。吸着ノズルの上昇に基づき回転軸Ｘの軸方向に吸着ノズルが持ち上げられると、上側の板状部品２７はベース１３から取り外される。治具７１の働きで上側のブロック２８の底面３８に対して下側のブロック２８の上面３９の吸着は確実に回避される。回転軸Ｘの軸方向に下側の板状部品２７の持ち上がりは確実に回避される。
【００３７】
その後、円筒体６１から上側の環状スペーサ６４が取り外される。取り外しにあたって前述の吸着ノズルが用いられる。その後、前述と同様に、中段の磁気ディスク１４、下側の板状部品２７、下側の環状スペーサ６４および下段の磁気ディスク１４が順番に取り外される。その後、円筒体６１には新品の磁気ディスク１４が装着される。ベース１３には下側の板状部品２７が取り付けられる。このとき、小片３４の位置決め穴３５は位置決めピン３６を受け入れる。位置決めピン３６の働きで板状部品２７はベース１３に対して正確に配置される。
【００３８】
円筒体６１には下側の環状スペーサ６４および中段の磁気ディスク１４が装着される。その後、位置決めピン３６は上側の板状部品２７の位置決め穴３５に受け入れられる。上側の板状部品２７は下側の板状部品２７に向かって下降する。位置決めピン３６の働きで上側の板状部品２７は下側の板状部品２７と同一の位置でベース１３に正確に位置決めされる。上側のブロック２８の底面３８は下側のブロック２８の上面３９に受け止められる。上側のブロック２８の底面３８の輪郭は下側のブロック２８の上面３９の輪郭に一致する。その後、貫通孔４１にはねじ３１の軸部が差し込まれる。ねじ３１はねじ孔４２にねじ込まれる。こうして板状部品２７はベース１３に取り付けられる。
【００３９】
続いて、前述と同様に、円筒体６１には上側の環状スペーサ６４および上段の磁気ディスク１４が装着される。円筒体６１の開放端６３にはクランプ６５が装着される。ベース１３にはカバーが取り付けられる。こうして下段の磁気ディスク１４は新品の磁気ディスク１４に交換される。その後、ＨＤＤ１１には再び出荷前の検査が実施される。こうした検査を通過したＨＤＤ１１は出荷される。なお、磁気ディスク１４、環状スペーサ６４および板状部品２７の取り付けおよび取り外しは例えばロボットの自動制御に基づき自動的に実施される。
【００４０】
以上のようなＨＤＤ１１では、板状部品２７のブロック２８は底面３８および上面３９で同一の輪郭を有する。ブロック２８の側面には切り欠き４３が形成される。切り欠き４３は底面３８に輪郭を切り欠く。したがって、上側のブロック２８では切り欠き４３内に下側のブロック２８の上面３９が露出する。その結果、上側の板状部品２７の取り外し時、下側のブロック２８の上面３９に例えば治具７１の下端が押し付けられることができる。こうしてブロック２８同士の吸着は確実に防止される。吸着に基づく下側の板状部品２７の持ち上がりは確実に防止される。例えば中段の磁気ディスク１４の裏面で損傷の発生は回避される。
【００４１】
しかも、板状部品２７はすべて同一の形状で形成されることから、例えば異なる形状を有する複数種の板状部品が用いられる場合に比べて、板状部品２７の管理は簡略化される。同時に、例えば異なる形状を有する複数種の板状部品が用いられる場合に比べて、板状部品２７の製造コストは低減される。同様に、ブロック２８は同一の形状で形成されることから、板状部品２７の取り外しにあたって吸着ノズルは常に同一の位置でブロック２８の上面３９に位置決めされれば足りる。吸着ノズルの移動経路は簡略化される。板状部品２７の取り外し工程は効率的に実施される。磁気ディスク１４の交換作業の時間は短縮される。
【００４２】
図７は本発明の第２実施形態に係るＨＤＤ１１ａの内部構造を概略的に示す。このＨＤＤ１１ａは、回転軸Ｘの軸方向に配列される２つの板状部品２７ａを備える。板状部品２７ａは、回転軸Ｘから遠心方向に整流板３３の外縁から外側に突き出る１対のタブ８１ａ、８１ｂを備える。図８を併せて参照し、上側の板状部品２７ａでは、タブ８１ａは、第２ブロック２８ｂから回転軸Ｘ回りに時計回りで第１角度Ａ１の角位置に配置される。その一方で、下側の板状部品２７ａでは、タブ８１ａは、第２ブロック２８ｂから回転軸Ｘ回りに反時計回りで第２角度Ａ２の角位置に配置される。第２角度Ａ２は第１角度Ａ１に同一に設定される。第１角度Ａ１および第２角度Ａ２は例えば６０度に設定される。こうして下側の板状部品２７ａのタブ８１ａは、回転軸Ｘ回りに上側の板状部品２７ａのタブ８１ａと異なる角位置に配置される。
【００４３】
その一方で、上側の板状部品２７ａでは、タブ８１ｂは、第２ブロック２８ｂから回転軸Ｘ回りに反時計回りで第３角度Ａ３の角位置に配置される。その一方で、下側の板状部品２７ａでは、タブ８１ｂは、第２ブロック２８ｂから回転軸Ｘ回りに時計回りで第４角度Ａ４の角位置に配置される。第４角度Ａ４は第３角度Ａ３に同一に設定される。第３角度Ａ３および第４角度Ａ４は例えば３０度に設定される。こうして下側の板状部品２７ａのタブ８１ｂは、回転軸Ｘ回りに上側の板状部品２７ａのタブ８１ｂと異なる角位置に配置される。こういったタブ８１ａ、８１ｂは、シュラウド２４に形成される窪み８２に個別に受け入れられる。窪み８２は回転軸Ｘから遠心方向にシュラウド面２６から外側に窪む。
【００４４】
図９に示されるように、上側の板状部品２７ａおよび下側の板状部品２７ａは、回転軸Ｘに直交しつつ下側の第２ブロック２８ｂの上面３９を通過する対称軸８３回りに相互に軸対称に配置される。例えば上側の板状部品２７ａが対称軸８３回りで１８０度回転すると、上側の板状部品２７ａの外形は下側の板状部品２７ａの外形に一致する。こうしてタブ８１ａ同士の角位置やタブ８１ｂ同士の角位置は相互に一致する。こうして板状部品２７ａは相互に同一の形状に形成される。したがって、本実施形態では上側のブロック２８の上面３９が下側のブロック２８の上面３９に受け止められる。ブロック２８には前述の切り欠き４３は形成されない。その他、前述のＨＤＤ１１や板状部品２７と均等な構成や構造には同一の参照符号が付される。
【００４５】
こうしたＨＤＤ１１ａでは、例えば下段の磁気ディスク１４の交換にあたって、前述と同様に、カバー、クランプ６５、上段の磁気ディスク１４およびねじ３１が取り外される。図１０に示されるように、下側のタブ８１ａ、８１ｂには治具８４の先端が押し当てられる。このとき、前述と同様に、例えば吸着ノズルに基づき上側の板状部品２７ａはベース１３から取り外される。治具８４の働きで上側のブロック２８に対して下側のブロック２８の吸着は回避される。下側の板状部品２７ａの持ち上がりは回避される。その後、環状スペーサ６４や下側の板状部品２７ａ、磁気ディスク１４が取り外される。
【００４６】
円筒体６１には新品の磁気ディスク１４が装着される。ベース１３には下側の板状部品２７ａが取り付けられる。下側のブロック２８の底面３８は受け面２４ａに受け止められる。続いて、円筒体６１には下側の環状スペーサ６４や中段の磁気ディスク１４が装着される。その後、上側の板状部品２７ａが取り付けられる。このとき、上側のブロック２８の上面３９が下側のブロック２８の上面３９に受け止められる。こうしてタブ８１ａ同士の角位置やタブ８１ｂ同士の角位置は相互にずれる。その後、前述と同様に、円筒体６１に上側の環状スペーサ６４や上段の磁気ディスク１４、クランプ６５が装着される。こうしたＨＤＤ１１ａによれば、前述と同様の作用効果が実現される。
【００４７】
図１１は本発明の第３実施形態に係るＨＤＤ１１ｂの内部構造を概略的に示す。このＨＤＤ１１ｂは、回転軸Ｘの軸方向に配列される２つの板状部品２７ｂを備える。図１２を併せて参照し、板状部品２７ｂは、各ブロック２８に形成されて底面３８から上面３９まで貫通する小径貫通孔８５および大径貫通孔８６を備える。小径貫通孔８５および台形貫通孔８６は回転軸Ｘ回りに配列される。小径貫通孔８５は、回転軸Ｘに平行な中心軸回りに規定される円柱空間を規定する。小径貫通孔８５の内径は第１径に設定される。その一方で、大径貫通孔８６は、回転軸Ｘに平行な中心軸回りに規定される円柱空間を規定する。大径貫通孔８６の内径は第１径より大きい第２径に設定される。
【００４８】
小径貫通孔８５の中心軸および大径貫通孔８６の中心軸は、回転軸Ｘ回りに規定される仮想円筒面８７内に中心軸を規定する。小径貫通孔８５の中心軸および大径貫通孔８６の中心軸は、回転軸Ｘを含みつつ各ブロック２８を２等分する仮想平面８８から回転軸Ｘ回りで同一の角位置に配置される。相互に隣接する仮想平面８８同士は直交する。同時に、図１３を併せて参照し、上側の板状部品２７ｂおよび下側の板状部品２７ｂは、回転軸Ｘに直交しつつ下側の第２ブロック２８ｂの上面３９を通過する対称軸８９回りに相互に軸対称に形成される。その結果、例えば上側の板状部品２７ｂが対称軸８９回りで１８０度回転すると、上側の板状部品２７ｂの外形は下側の板状部品２７ｂの外形は一致する。こうして板状部品２７ｂは相互に同一の形状に形成される。
【００４９】
図１４に示されるように、上側の板状部品２７ｂでは、回転軸Ｘ回りに時計回りに大径貫通孔８６および小径貫通孔８５の順番で配置される。その一方で、下側の板状部品２７ｂでは、回転軸Ｘ回りに時計回りに小径貫通孔８５および大径貫通孔８６の順番で配置される。その結果、図１５を併せて参照し、下側のブロック２８の小径貫通孔８５上に上側のブロック２８の大径貫通孔８６が配置される。小径貫通孔８５の中心軸は大径貫通孔８６の中心軸に一致する。同様に、下側のブロック２８の大径貫通孔８６上に上側のブロック２８の小径貫通孔８５が配置される。大径貫通孔８６の中心軸は小径貫通孔８５の中心軸に一致する。
【００５０】
本実施形態では、板状部品２７ｂは相互に同一の形状に形成されることから、上側のブロック２８の上面３９が下側のブロック２８の上面３９に受け止められる。下側のブロック２８の大径貫通孔８６および上側のブロック２８の小径貫通孔８５に前述のねじ３１のねじ軸が受け入れられる。ねじ３１のねじ頭は上側のブロック２８の底面３８に受け止められる。その一方で、上側の大径貫通孔８６内には下側の小径貫通孔８５の外側で下側のブロック２８の上面３９が配置される。なお、ブロック２８には前述の切り欠き４３は形成されない。同様に、整流板３３には前述のタブ８１ａ、８１ｂは形成されない。その他、前述のＨＤＤ１１、１１ａや板状部品２７、２７ａと均等な構成や構造には同一の参照符号が付される。
【００５１】
こうしたＨＤＤ１１ｂでは、例えば下段の磁気ディスク１４の交換にあたって、前述と同様に、カバー、クランプ６５、上段の磁気ディスク１４およびねじ３１が取り外される。図１６に示されるように、上側のブロック２８の大径貫通孔８６には円柱状のピン９１が差し込まれる。ピン９１の径は大径貫通孔８６の径に一致する。上側のブロック２８の大径貫通孔８６内でピン９１の下端は下側のブロック２８の上面３９に受け止められる。前述と同様に、例えば吸着ノズルに基づき上側の板状部品２７ｂはベース１３から取り外される。ピン９１の働きで上側のブロック２８に対して下側のブロック２８の吸着は回避される。下側の板状部品２７ｂの持ち上がりは回避される。その後、環状スペーサ６４や下側の板状部品２７ｂ、磁気ディスク１４が取り外される。
【００５２】
その後、円筒体６１には新品の磁気ディスク１４が装着される。ベース１３には下側の板状部品２７ｂが取り付けられる。下側のブロック２８の底面３８は受け面２４ａに受け止められる。続いて、円筒体６１には下側の環状スペーサ６４や中段の磁気ディスク１４が装着される。その後、上側の板状部品２７ｂが取り付けられる。前述のように、板状部品２７ｂは相互に同一の形状に形成されることから、上側のブロック２８の上面３９が下側のブロック２８の上面３９に受け止められる。こうして小径貫通孔８５および大径貫通孔８６の中心軸は一致する。その後、前述と同様に、円筒体６１には上側の環状スペーサ６４や上段の磁気ディスク１４、クランプ６５が装着される。こうしたＨＤＤ１１ｂによれば、前述と同様の作用効果が実現される。
【００５３】
その他、以上のようなＨＤＤ１１〜１１ｂでは、上側の板状部品２７〜２７ｂ上にさらにもう１つの板状部品２７〜２７ｂが配置されてもよい。こうして配置される上段の板状部品２７〜２７ｂの整流板３３は、上段の磁気ディスク１４の表面に向き合うことができる。こうしたＨＤＤ１１〜１１ｂによれば、板状部品２７〜２７ｂに基づき前述と同様の作用効果が実現される。
【００５４】
以上の実施形態に関し出願人はさらに以下の付記を開示する。
【００５５】
（付記１）  回転軸回りで回転し、前記回転軸の軸方向に規定される一端に開放端を区画しつつ他端に前記回転軸から遠心方向に突き出るフランジを区画する回転体と、
前記回転体周りで前記軸方向に前記回転体に装着される複数の記憶媒体と、
前記回転体の前記開放端に取り付けられて、前記フランジに向かって前記記憶媒体を押し付けるクランプと、
前記記憶媒体の表面に平行に突き出るプレート、一方の側面で前記プレートを保持しつつ一方の前記側面と反対側の他方の側面に切り欠きを有するブロックを区画し、前記ブロックの積み重ねに基づき前記軸方向に配置される複数の板状部品とを備えることを特徴とする記憶装置。
【００５６】
（付記２）  付記１に記載の記憶装置において、複数の前記板状部品は相互に同一の形状を有することを特徴とする記憶装置。
【００５７】
（付記３）  付記１または２に記載の記憶装置において、前記ブロックは、底面と、前記底面に垂直に平行移動する前記底面の輪郭に一致する輪郭を有する上面とを規定することを特徴とする記憶装置。
【００５８】
（付記４）  付記３に記載の記憶装置において、前記切り欠きは前記ブロックの前記底面に輪郭を切り欠くことを特徴とする記憶装置。
【００５９】
（付記５）  ブロックと、
前記ブロックに保持されて前記ブロックの一方の側面から水平に突き出るプレートと、
一方の前記側面と反対側に規定される前記ブロックの他方の側面に形成される切り欠きとを備えることを特徴とする板状部品。
【００６０】
（付記６）  付記５または６に記載の板状部品において、前記ブロックは、底面と、前記底面に垂直に平行移動する前記底面の輪郭に一致する輪郭を有する上面とを規定することを特徴とする板状部品。
【００６１】
（付記７）  付記６に記載の板状部品において、前記切り欠きは前記ブロックの前記底面に輪郭を切り欠くことを特徴とする板状部品。
【００６２】
（付記８）  回転軸回りで回転し、前記回転軸の軸方向に規定される一端に開放端を区画しつつ他端に前記回転軸から遠心方向に突き出るフランジを区画する回転体と、
前記回転体周りで前記軸方向に前記回転体に装着される複数の記憶媒体と、
前記回転体の前記開放端に取り付けられて、前記フランジに向かって前記記憶媒体を押し付けるクランプと、
前記記憶媒体の表面に平行に突き出る下側プレート、前記下側プレートを保持する下側ブロック、および、前記下側プレートの外縁から前記記憶媒体の輪郭より外側に向かって突き出る下側タブを有する下側板状部品と、
前記記憶媒体の表面に平行に突き出る上側プレート、前記上側プレートを保持し、前記下側ブロック上に配置される上側ブロック、および、前記上側プレートの外縁から前記記憶媒体の輪郭より外側に向かって突き出る上側タブを有する上側板状部品とを備え、
前記上側タブは、前記上側ブロックから前記回転軸回りの時計回りに第１角度の角位置に配置され、前記下側タブは、前記下側ブロックから前記回転軸回りに反時計回りに第１角度と同一の第２角度の角位置に配置されることを特徴とする記憶装置。
【００６３】
（付記９）  付記８に記載の記憶装置において、前記上側板状部品は前記下側板状部品と同一の形状を有することを特徴とする記憶装置。
【００６４】
（付記１０）  付記８または９に記載の記憶装置において、前記上側ブロックおよび前記下側ブロックは、底面と、前記底面に垂直に平行移動する前記底面の輪郭に一致する輪郭を有する上面とをそれぞれ規定することを特徴とする記憶装置。
【００６５】
（付記１１）  ブロックと、
前記ブロックに保持されて前記ブロックから水平に突き出るプレートと、
前記プレートの外縁から外側に向かって突き出るタブとを備えることを特徴とする板状部品。
【００６６】
（付記１２）  付記１１に記載の板状部品において、前記ブロックは、底面と、前記底面に垂直に平行移動する前記底面の輪郭に一致する輪郭を有する上面とをそれぞれ規定することを特徴とする板状部品。
【００６７】
（付記１３）  回転軸回りで回転し、前記回転軸の軸方向に規定される一端に開放端を区画しつつ他端に前記回転軸から遠心方向に突き出るフランジを区画する回転体と、
前記回転体周りで前記軸方向に前記回転体に装着される複数の記憶媒体と、
前記回転体の前記開放端に取り付けられて、前記フランジに向かって前記記憶媒体を押し付けるクランプと、
前記記憶媒体の表面に平行に突き出る下側プレート、前記下側プレートを保持する下側ブロック、および、前記回転軸回りに規定される仮想円筒面上で前記回転軸に平行に前記下側ブロックを貫通する第１径の第１小径貫通孔、並びに、前記仮想円筒面上で前記回転軸に平行に前記下側ブロックを貫通する第１径より大きい第２径の第１大径貫通孔を有する下側板状部品と、
前記記憶媒体の表面に平行に突き出る上側プレート、前記上側プレートを保持して前記下側ブロック上に配置される上側ブロック、および、前記仮想円筒面上で前記回転軸に平行に前記上側ブロックを貫通し、前記第１小径貫通孔と中心軸を等しくする第１径より大きい第２径の第２大径貫通孔、並びに、前記仮想円筒面上で前記回転軸に平行に前記上側ブロックを貫通し、前記第１大径貫通孔と中心軸を等しくする第１径の第２小径貫通孔を有し、前記下側板状部品と同一の形状を有する上側板状部品とを備えることを特徴とする記憶装置。
【００６８】
（付記１４）  付記１３に記載の記憶装置において、前記上側板状部品は前記下側板状部品と同一の形状を有することを特徴とする記憶装置。
【００６９】
（付記１５）  付記１３または１４に記載の記憶装置において、前記上側ブロックおよび前記下側ブロックは、底面と、前記底面に垂直に平行移動する前記底面の輪郭に一致する輪郭を有する上面とをそれぞれ規定することを特徴とする記憶装置。
【００７０】
（付記１６）  ブロックと、
前記ブロックに保持されて前記ブロックから水平に突き出るプレートと、
前記ブロック上で前記底面から前記上面まで貫通する第１径の小径貫通孔と、
前記ブロック上で前記底面から前記上面まで貫通する第１径より大きい第２径の大径貫通孔とを備えることを特徴とする板状部品。
【００７１】
（付記１７）  付記１６に記載の板状部品において、前記ブロックは、底面と、前記底面に垂直に平行移動する前記底面の輪郭に一致する輪郭を有する上面とをそれぞれ規定することを特徴とする板状部品。
【符号の説明】
【００７２】
１１  記憶装置（ハードディスク駆動装置）、１４  記憶媒体（磁気ディスク）、１４ａ  外周端面、２６  シュラウド面、２７〜２７ｂ  板状部品・下側板状部品・上側板状部品、２８ａ〜２８ｃ  ブロック・下側ブロック・上側ブロック、３３  プレート・下側プレート・上側プレート（整流板）、３８  底面、３８  上面、４３  切り欠き、５２  回転体、６２  フランジ、６３  開放端、６５  クランプ、８１ａ、８１ｂ  タブ・下側タブ・上側タブ、８７  仮想円筒面、８５  第１小径貫通孔・第２小径貫通孔、８６  第１大径貫通孔・第２大径貫通孔、Ｘ  回転軸。
【図１】
2010267338.tif 000003
【図２】
2010267338.tif 000004
【図３】
2010267338.tif 000005
【図４】
2010267338.tif 000006
【図５】
2010267338.tif 000007
【図６】
2010267338.tif 000008
【図７】
2010267338.tif 000009
【図８】
2010267338.tif 000010
【図９】
2010267338.tif 000011
【図１０】
2010267338.tif 000012
【図１１】
2010267338.tif 000013
【図１２】
2010267338.tif 000014
【図１３】
2010267338.tif 000015
【図１４】
2010267338.tif 000016
【図１５】
2010267338.tif 000017
【図１６】
2010267338.tif 000018